(57)【要約】【課題】      ケース本体内に設けたファスナーシート間に釣竿を介在させてファスナーを止着する竿支持体への釣竿の取り付け操作が煩わしいことであること。【解決手段】  釣竿ケース１は、内部に釣竿Ｔの収納部４を備えた可撓性を有する筒状のケース本体２を有し、ケース本体２はチャック６、６で開閉可能な長手方向に延びる開口３を有し、ケース本体２の収納部４の内面２ｃには発泡材で形成され釣竿Ｔの狭持部７ａ、７ｂを有する釣竿保持部７が取り付けられ、ケース本体２の開口３の開閉に連動して狭持部７ａ、７ｂが開閉するようになっている。【選択図】        図２
2008136408.tif 000002
【特許請求の範囲】
【請求項１】
可撓性を有する板状の外装体を筒状にしてケース本体を形成し、前記ケース本体の長手方向にチャックで開閉可能な開口を設けると共に前記ケース本体の内面に前記チャックによる前記開口の開閉操作に連動して釣竿を狭持する釣竿保持部を設けたことを特徴とする釣竿ケース。
【請求項２】
ケース本体の開口は開放方向に付勢されていることを特徴とする請求項１記載の釣竿ケース。
【請求項３】
釣竿保持部材は、中央側に狭持部を有し、外側をケース本体の内面に取り付けた発泡材であることを特徴とする請求項１または２記載の釣竿ケース。
【請求項４】
釣竿保持部材は、狭持部に釣竿を配するための釣竿差し込み口をケース本体の開口側に設けたことを特徴とする請求項３記載の釣竿ケース。
【発明の詳細な説明】
【技術分野】
【０００１】
本発明は、ケース本体の内面に釣竿保持部を設けた釣竿ケースに関する。
【背景技術】
【０００２】
従来から釣りを行う時には釣竿を釣竿ケースに入れて破損しないようにして持ち運んでいた。
釣竿ケースに釣竿を収納すると釣竿ケースの中で釣竿が動くため、持ち運び中に不快であり、また釣竿が破損する虞があるため釣竿ケース内に釣竿保持部を設けることが提案されている。
【０００３】
上記について特許文献１にケース本体内にシート状の剥離自在なファスナー面を有する竿支持体を備えた釣竿ケースが示されている。
この釣竿ケースによれば釣竿ケース内に設けたファスナーシートの間に釣竿を介在させてファスナーを止着することで釣竿を釣竿ケース内に支持することができ、その後、釣竿ケースの開口を閉じて持ち運ぶようになっている。
【０００４】
しかし、このような釣竿ケースでは、釣竿ケース内の竿支持体への取り付け操作に時間が掛かり煩わしいという欠点があった。
【特許文献１】実公昭６４−２６２９
【発明の開示】
【発明が解決しようとする課題】
【０００５】
解決しようとする課題は、ケース本体内に設けたファスナーシート間に釣竿を介在させてファスナーを止着する竿支持体への釣竿の取り付け操作が煩わしいことである。
【０００６】
本発明の目的は前記欠点に鑑み、ケース本体内に釣竿を簡単に保持でき、すぐに持ち運ぶことができる釣竿ケースを提供することである。
【課題を解決するための手段】
【０００７】
上記課題を解決するために、
請求項１に係わる本発明は、可撓性を有する板状の外装体を筒状にしてケース本体を形成し、前記ケース本体の長手方向にチャックで開閉可能な開口を設けると共に前記ケース本体の内面に前記チャックによる前記開口の開閉操作に連動して釣竿を狭持する釣竿保持部を設けたことをことを要旨とするものである。
請求項２に係わる本発明は、ケース本体の開口は開放方向に付勢されていることを要旨とするものである。
請求項３に係わる本発明は、釣竿保持部材は、中央側に狭持部を有し、外側をケース本体の内面に取り付けた発泡材であることを要旨とするものである。
請求項４に係わる本発明は、狭持部に釣竿を配するための釣竿差し込み口をケース本体の開口側に設けたことを要旨とするものである。
【発明の効果】
【０００８】
本発明によると、釣竿ケースに収納した釣竿を容易に保持したり取り出したりすることができる。
【発明を実施するための最良の形態】
【０００９】
以下、本発明の実施形態を図面に基づき説明すると、図１から図３は本発明の実施例で、図１は釣竿ケースの全体図、図２は開口を開いた釣竿ケースの拡大断面図、図３は開口を閉じた釣竿ケースの拡大断面図である。
【００１０】
図１から図３によると、釣竿ケース１は、内部に釣竿Ｔを収納可能な空間からなる収納部４を有する筒状のケース本体２を有し、このケース本体２の下側の接地部に皿状の底部５が取り付けられている。
【００１１】
ケース本体２は、エチレン酢酸ビニル共重合体やポリウレタン等の合成樹脂（発泡合成樹脂を含む）の板材や合成樹脂の板材に合成樹脂の織布やコーティング等による化粧層を内面２ｃや外面２ｂに貼着して形成した可撓性を有する板状の外装体２ａを筒状に湾曲させることで形成し、その下端側を皿状の底部５に差し込んで取り付けられている。
【００１２】
ケース本体２は、釣竿が収納しやすいように上下に長い筒状に形成され、湾曲させた外装体２ａの左右両端側が向かい合わせ状に配されて形成され、ケース本体２の上端側から底部５までの下端側に至る長手方向に延びる開口３が形成されている。
なお、ケース本体２の外装体２ａは一体に形成したものの他に、複数の材料（複数の外装体）を繋ぎ合わせて形成したものでもよく、また、ケース本体２はケース本体２を形成する外装体２ａに囲まれた内部に釣竿の収納空間である収納部４を有していれば筒状とする。
【００１３】
開口３は、その両側に互いに係合可能なチャック（スライドファスナ）６、６が設けられており、引き手を有するスライダー６ａを開口３の長手方向に移動操作することによって開閉できるようになっている。
【００１４】
ケース本体２の外装体２ａは可撓性を有しその弾性に抗して湾曲させているため開口３は開く方向に付勢されており、図１、図２のようにチャック６、６の係合を解除すると開口３の両側は離間して開いた状態が維持される。
また、開く方向に付勢された開口３を閉じるときは、この付勢力に抗してチャック６、６を係合させることとなる。
【００１５】
ケース本体２の収納部４の内面２ｃには釣竿保持部７が設けられている。
釣竿保持部７は、独立気泡や連続気泡を有する発泡合成樹脂や発泡ゴム等の柔軟性や伸縮性を有する発泡材で形成されている。
【００１６】
図２のように釣竿保持部７は、中央側にケース本体２の長手方向と交差する断面にてＶ字状の切り欠きが設けられ、その切り欠きの内側に釣竿Ｔを左右から狭持する一対の狭持部７ａ、７ｂが形成され、Ｖ字状の切り欠きからなる狭持部７ａ、７ｂは奥で互いに連接され、また、釣竿差し込み口７ｅが開口３側に形成され、釣竿保持部７の伸縮により開閉可能となっている。
さらに、狭持部７ａ、７ｂには釣竿Ｔを確実に保持するために溝７ｄが上下方向に複数本形成されている。
そして、釣竿保持部７の外側７ｃはケース本体２の収納部４の内面２ｃに合致して形成し、内面２ｃにその周方向に沿って取り付けられ、釣竿保持部７は、ケース本体２の収納部４の内面２ｃに上下方向に間隙を設けて複数個設けられている。
【００１７】
このように形成した釣竿ケース１に釣竿Ｔを収納するときは、図２のようにチャック６、６の係合を解除して開口３を開放状態とすると、開口３の拡開されるように変形する動きに連動して、ケース本体２の収納部４の内面２ｃに取り付けられた釣竿保持部７の外側７ｃが周方向に拡開されるように変形する。
これによって、狭持部７ａ、７ｂ間の間隙が左右又はケース本体２の周方向に広がり、釣竿差し込み口７ｅが開放状態となって釣竿Ｔを狭持部７ａ、７ｂの間に配することが出来るようになる。
この時、狭持部７ａ、７ｂは溝７ｄを有し釣竿Ｔが狭持部７ａ、７ｂの間から脱落することを防止している。
【００１８】
釣竿Ｔを狭持部７ａ、７ｂの間に配した後に、図３のようにチャック６、６を係合して開口３を閉じると、ケース本体２が図３のように断面で円形状を成し、の収納部４の内面２ｃに取り付けられた釣竿保持部７の外側７ｃが、ケース本体２の開口３の閉塞操作でケース本体２が周方向に縮径されるように変形する動きに連動して狭持部７ａ、７ｂが互いに接近し閉じられるように変形し、狭持部７ａ、７ｂの間に配された釣竿Ｔを狭持部７ａ、７ｂで狭持して釣竿保持部７にて保持することができる。
【００１９】
釣竿保持部７は、柔軟性や伸縮性を有する発泡材で形成されているため狭持した釣竿Ｔの径に合わせて保持するため径の異なる釣竿Ｔを確実に保持でき、しかも、釣竿Ｔをその伸縮性によって押圧して狭持するため釣竿ケース１運搬中に動いてしまうことが防止される。
【００２０】
このように釣竿ケース１を形成したので釣竿Ｔを釣竿ケース１内の釣竿保持部７の狭持部７ａ、７ｂの間に配し、ケース本体２の開口３をチャック６、６を閉じるだけで釣竿ケース１内の釣竿保持部７に保持されるため、釣竿Ｔを釣竿保持部７に保持するための取り付け操作が不要となり、すぐに収納した釣竿Ｔの動きを規制して釣竿ケース１を持ち運ぶことが出来る。
【００２１】
また、釣竿Ｔを取り出すときは、ケース本体２の開口３をチャック６、６の係合を解除して開くだけで、ケース本体２が拡開するように変形する動作に連動して釣竿保持部７の狭持部７ａ、７ｂが拡開されるように変形し、釣竿差し込み口７ｅが開放状態となって釣竿Ｔを釣竿保持部７からの取り外し操作をしなくても容易に取り出すことが出来る。
【００２２】
なお、実施例では、釣竿保持部７にＶ字状の切り欠きを設けて狭持部７ａ、７ｂを形成したが、釣竿保持部７を複数に分割してそれぞれに設けた狭持部が開口３の開閉に連動して釣竿を狭持するようにしてもよい。
また、開口３のチャック６、６はスライドファスナとしたがこれに限らず面ファスナなどを用いてもよい。
【産業上の利用可能性】
【００２３】
本発明は、釣竿ケース全般に利用できる。
【図面の簡単な説明】
【００２４】
【図１】図１は、釣竿ケースの全体図である。
【図２】図２は、開口を開いた釣竿ケースの拡大断面図である。
【図３】図３は、開口を閉じた釣竿ケースの拡大断面図である。
【符号の説明】
【００２５】
１    釣竿ケース
２    ケース本体
３    開口
４    収納部
６    チャック
７    釣竿保持部
【図１】
2008136408.tif 000003
【図２】
2008136408.tif 000004
【図３】
2008136408.tif 000005